(57)【要約】      （修正有）【課題】患部に対して開口を適切な位置に配置することができる治療具用アタッチメントを提供する。【解決手段】治療具用アタッチメント２は、光を外部に向けて放射するための放射部を有する治療具に固定される固定部３と、放射部から突出するように配置され、放射部から放射された光が内部を通過する筒状部４と、筒状部４の内部に配置され、放射部から放射された光が通過する開口５２と、を備え、筒状部４の側周部４１は、側周部４１の外側から開口５２を視認できるように、透明に形成される。【選択図】図７
2017221646.tif 000002
【特許請求の範囲】
【請求項１】
光を外部に向けて放射するための放射部を有する治療具に固定される固定部と、
前記放射部から突出するように配置され、前記放射部から放射された光が内部を通過する筒状部と、
前記筒状部の内部に配置され、前記放射部から放射された光が通過する開口と、を備え、
前記筒状部の側周部は、前記側周部の外側から前記開口を視認できるように、透明に形成される、治療具用アタッチメント。
【請求項２】
前記開口は、前記筒状部の軸方向において、前記筒状部の先端部よりも前記筒状部の内方に配置される、請求項１に記載の治療具用アタッチメント。
【請求項３】
前記筒状部の先端部は、凸状の曲面で形成される、請求項１又は２に記載の治療具用アタッチメント。
【請求項４】
前記筒状部は、先端部に向けて小さくなるように、形成され、
前記先端部は、前記開口の近傍に配置される、請求項１〜３の何れか１項に記載の治療具用アタッチメント。
【請求項５】
前記筒状部は、前記先端部が患部と接する際に、前記軸方向に変形可能な変形部を備える、請求項１〜４の何れか１項に記載の治療具用アタッチメント。
【請求項６】
前記変形部は、前記筒状部の前記先端部に備えられ、前記筒状部の前記側周部よりも薄い厚みとなるように、形成される、請求項５に記載の治療具用アタッチメント。
【請求項７】
前記変形部は、前記筒状部の前記側周部に備えられ、弾性を有するように、湾曲状に形成される、請求項５に記載の治療具用アタッチメント。
【請求項８】
前記変形部は、前記筒状部の前記側周部に備えられ、弾性を有するように、蛇腹状に形成される、請求項５に記載の治療具用アタッチメント。
【請求項９】
前記固定部及び前記筒状部の少なくとも一方から外側に向けて突出する摘み片を備える、請求項１〜８の何れか１項に記載の治療具用アタッチメント。
【請求項１０】
凹凸状に形成される端縁を備える、請求項１〜９の何れか１項に記載の治療具用アタッチメント。
【請求項１１】
前記筒状部の側周部は、前記治療具から放射された紫外線の一部を可視光の蛍光に変換する材質で形成される、請求項１〜１０の何れか１項に記載の治療具用アタッチメント。
【請求項１２】
請求項１〜１１の何れか１項に記載の治療具用アタッチメントと、
前記治療具を収容し、前記治療具用アタッチメントに固定される袋体と、を備える、治療具用の袋体付きアタッチメント。
【請求項１３】
光を外部に向けて放射するための放射部を有する治療具と、
前記治療具に固定される請求項１〜１１の何れか１項に記載の治療具用アタッチメント又は請求項１２に記載の治療具用の袋体付きアタッチメントと、を備える、治療装置。
【発明の詳細な説明】
【技術分野】
【０００１】
本発明は、治療具に固定される治療具用アタッチメントに関する。また、本発明は、治療具用アタッチメントと袋体とを備える治療具用の袋体付きアタッチメントに関する。さらに、本発明は、治療具と治療具用アタッチメントとを備える治療装置に関する。
【背景技術】
【０００２】
従来、治療具として、光を外部に向けて放射するための放射部を有する治療具が、知られている。また、従来、治療具に固定されるアタッチメントとして、治療具の放射部から放射された光が通過する開口を有するアタッチメントが、知られている（例えば、特許文献１及び２）。
【０００３】
ところで、光が患部に適切に照射されるためには、患部に対して開口を適切な位置に配置する必要がある。しかしながら、従来のアタッチメントにおいては、アタッチメントの外側から開口の位置を確認することができないため、患部に対して開口を適切な位置に配置することができない場合がある。
【先行技術文献】
【特許文献】
【０００４】
【特許文献１】特表２００５−５１１１３６号公報
【特許文献２】米国特許出願公開第２０１１／００３７８４４号明細書
【発明の概要】
【発明が解決しようとする課題】
【０００５】
そこで、課題は、患部に対して開口を適切な位置に配置することができる治療具用アタッチメント、治療具用の袋体付きアタッチメント、及び治療装置を提供することである。
【課題を解決するための手段】
【０００６】
治療具用アタッチメントは、光を外部に向けて放射するための放射部を有する治療具に固定される固定部と、前記放射部から突出するように配置され、前記放射部から放射された光が内部を通過する筒状部と、前記筒状部の内部に配置され、前記放射部から放射された光が通過する開口と、を備え、前記筒状部の側周部は、前記側周部の外側から前記開口を視認できるように、透明に形成される。
【０００７】
また、治療具用アタッチメントにおいては、前記開口は、前記筒状部の軸方向において、前記筒状部の先端部よりも前記筒状部の内方に配置される、という構成でもよい。
【０００８】
また、治療具用アタッチメントにおいては、前記筒状部の先端部は、凸状の曲面で形成される、という構成でもよい。
【０００９】
また、治療具用アタッチメントにおいては、前記筒状部は、先端部に向けて小さくなるように、形成され、前記先端部は、前記開口の近傍に配置される、という構成でもよい。
【００１０】
また、治療具用アタッチメントにおいては、前記筒状部は、前記先端部が患部と接する際に、前記軸方向に変形可能な変形部を備える、という構成でもよい。
【００１１】
また、治療具用アタッチメントにおいては、前記変形部は、前記筒状部の前記先端部に備えられ、前記筒状部の前記側周部よりも薄い厚みとなるように、形成される、という構成でもよい。
【００１２】
また、治療具用アタッチメントにおいては、前記変形部は、前記筒状部の前記側周部に備えられ、弾性を有するように、湾曲状に形成される、という構成でもよい。
【００１３】
また、治療具用アタッチメントにおいては、前記変形部は、前記筒状部の前記側周部に備えられ、弾性を有するように、蛇腹状に形成される、という構成でもよい。
【００１４】
また、治療具用アタッチメントは、前記固定部及び前記筒状部の少なくとも一方から外側に向けて突出する摘み片を備える、という構成でもよい。
【００１５】
また、治療具用アタッチメントは、凹凸状に形成される端縁を備える、という構成でもよい。
【００１６】
また、治療具用アタッチメントにおいては、前記筒状部の側周部は、前記治療具から放射された紫外線を可視光の蛍光に変換する材質で形成される、という構成でもよい。
【００１７】
また、治療具用の袋体付きアタッチメントは、前記治療具用アタッチメントと、前記治療具を収容し、前記治療具用アタッチメントに固定される袋体と、を備える。
【００１８】
また、治療装置は、光を外部に向けて放射するための放射部を有する治療具と、前記治療具に固定される前記治療具用アタッチメント又は前記治療具用の袋体付きアタッチメントと、を備える。
【発明の効果】
【００１９】
以上の如く、治療具用アタッチメント、治療具用の袋体付きアタッチメント、及び治療装置は、患部に対して開口を適切な位置に配置することができる、という優れた効果を奏する。
【図面の簡単な説明】
【００２０】
【図１】一実施形態に係る治療装置の要部図である。
【図２】同実施形態に係る治療具の全体斜視図である。
【図３】同実施形態に係るアタッチメントの全体斜視図である。
【図４】同実施形態に係るアタッチメントの全体平面図である。
【図５】同実施形態に係るアタッチメントの全体側面図である。
【図６】図４のVI−VI線拡大断面図である。
【図７】同実施形態に係る治療装置の要部拡大図であって、一部が断面を示す図である。
【図８】同実施形態に係るアタッチメントの要部拡大断面図であって、患部に接触する前の状態を示す図である。
【図９】同実施形態に係るアタッチメントの要部拡大断面図であって、患部に接触した状態を示す図である。
【図１０】他の実施形態に係るアタッチメントの全体斜視図である。
【図１１】さらに他の実施形態に係るアタッチメントの要部拡大断面図である。
【図１２】さらに他の実施形態に係るアタッチメントの要部拡大断面図であって、患部に接触する前の状態を示す図である。
【図１３】同実施形態に係るアタッチメントの要部拡大断面図であって、患部に接触した状態を示す図である。
【図１４】さらに他の実施形態に係るアタッチメントの要部拡大断面図であって、患部に接触する前の状態を示す図である。
【図１５】同実施形態に係るアタッチメントの要部拡大断面図であって、患部に接触した状態を示す図である。
【図１６】さらに他の実施形態に係るアタッチメントの全体斜視図である。
【図１７】同実施形態に係るアタッチメントの全体拡大断面図である。
【図１８】さらに他の実施形態に係るアタッチメントの全体斜視図である。
【図１９】同実施形態に係るアタッチメントの全体平面図である。
【図２０】同実施形態に係るアタッチメントの全体側面図である。
【図２１】図１９のＸＸＩ−ＸＸＩ線拡大断面図である。
【図２２】さらに他の実施形態に係る治療装置の要部図である。
【図２３】図２２のＸＸIII領域の拡大図である。
【発明を実施するための形態】
【００２１】
以下、治療装置における一実施形態について、図１〜図９を参酌して説明する。なお、各図（図１０〜図２３も同様）において、図面の寸法比と実際の寸法比とは、必ずしも一致しておらず、また、各図面の間での寸法比も、必ずしも一致していない。
【００２２】
図１に示すように、本実施形態に係る治療装置１は、光を外部に向けて放射する治療具１１と、治療具１１に電力を供給する装置本体（図示及び採番していない）と、治療具１１と装置本体とを電気的に接続する接続線１２とを備えている。また、治療装置１は、治療具１１に固定される治療具用アタッチメント（以下、単に「アタッチメント」という）２を備えている。
【００２３】
治療具１１は、片手で持つことが可能なハンディタイプの治療具１１である。そして、治療具１１は、操作者（例えば、医師、患者自身）により、接続線１２が伸びる範囲で、装置本体に対して自由に変位できる。
【００２４】
図１及び図２に示すように、治療具１１は、操作者が片手で握るための把手部１１ａと、発光する光源１１ｂとを備えている。そして、治療具１１は、光源１１ｂで発せられた光を治療具１１の外部に向けて放射するための放射部１１ｃと、放射部１１ｃの側方に配置される窓部１１ｄとを備えている。また、治療具１１は、アタッチメント２に固定される被固定部１１ｅを備えている。
【００２５】
光源１１ｂは、患部１００を治療するために必要な波長の光を発している。本実施形態においては、光源１１ｂは、白斑やアトピー皮膚炎等の疾病の患部１００を治療するために、紫外光（例えば、波長が２２０ｎｍ〜４００ｎｍの光）を発している。また、殺菌や消毒等に用いる場合は、光源１１ｂは、例えば、波長が１７０ｎｍ〜３００ｎｍの紫外光を発している。
【００２６】
なお、光源１１ｂは、赤外光や可視光を発する、という構成でもよい。また、光源１１ｂは、エキシマランプ（誘電体放電バリアランプ）、低圧水銀ランプ、フラッシュランプ、キセノンランプ、水銀ランプ等のランプでもよく、また、ＬＥＤ等の固体光源素子でもよい。
【００２７】
放射部１１ｃは、光源１１ｂから発せられた光（本実施形態では、紫外光）を患部１００に向けて透過するように、形成されている。また、放射部１１ｃは、可視光を透過するように、形成されている。具体的には、放射部１１ｃは、透明に形成されている。
【００２８】
窓部１１ｄは、操作者が窓部１１ｄ及び放射部１１ｃを経由して患部１００やアタッチメント２を視認することができるように、可視光を透過するように形成されている。具体的には、窓部１１ｄは、透明に形成されている。なお、窓部１１ｄは、光源１１ｂから発せられた光（本実施形態では、紫外光）を、内面で反射する、又は、吸収するように、形成されている。
【００２９】
本実施形態においては、被固定部１１ｅは、放射部１１ｃを囲う枠である。そして、被固定部１１ｅは、窓部１１ｄから突出している。
【００３０】
図３〜図６に示すように、アタッチメント２は、治療具１１に固定される固定部３と、治療具１１の放射部１１ｃから突出するように配置され、放射部１１ｃから放射された光が内部を通過する筒状部４とを備えている。また、アタッチメント２は、筒状部４の軸方向で放射部１１ｃと重なるように、筒状部４の軸方向と直交する方向（以下、「径方向」という）において、筒状部４の内部に配置されるカバー部５を備えている。
【００３１】
固定部３は、筒状に形成される固定部本体３１と、アタッチメント２を治療具１１に固定させるために、治療具１１の被固定部１１ｅと係合する係合部３２とを備えている。そして、固定部３は、アタッチメント２が治療具１１に着脱自在となるように、構成されている。
【００３２】
固定部本体３１は、角筒状に形成されている。そして、固定部本体３１の軸方向は、筒状部４の軸方向と、平行である。また、アタッチメント２が治療具１１に固定されている際に、治療具１１の被固定部１１ｅは、固定部本体３１の軸方向と直交する方向（以下、「径方向」という）において、内部に配置されている。
【００３３】
係合部３２は、固定部本体３１から固定部本体３１の径方向の内部側へ突出するように、形成されている。また、係合部３２は、角筒状に形成される固定部本体３１の四面のうち、径方向で対面する二面にそれぞれ配置されている。なお、係合部３２は、角筒状に形成される固定部本体３１の四面の全てにそれぞれ配置されていてもよい。
【００３４】
そして、係合部３２は、長尺に形成されている。なお、係合部３２は、例えば、固定部本体３１から半球状に突出するように形成され、また、例えば、固定部本体３１の一面に複数備えられていてもよい。
【００３５】
係合部３２が、治療具１１の被固定部１１ｅと、固定部本体３１（筒状部４）の軸方向で係合することで、アタッチメント２は、治療具１１に固定されている。なお、アタッチメント２が治療具１１に着脱される際に、固定部３（具体的には、固定部本体３１や係合部３２）は、弾性変形する。
【００３６】
筒状部４は、固定部３から筒状部４の軸方向に突出する側周部４１と、患部１００と接する先端部４２とを備えている。また、筒状部４は、先端部４２に向けて小さくなるように、形成されている。そして、側周部４１は、角筒状に形成されており、先端部４２は、側周部４１の先端側に連結されている。また、カバー部５は、治療具１１の放射部１１ｃから放射された光を遮蔽する遮光部５１と、該光が通過する開口５２とを備えている。
【００３７】
筒状部４の側周部４１は、透明に形成されている。具体的には、側周部４１は、光源１１ｂから発せされた光（本実施形態においては、紫外光）を遮蔽し、且つ、それ以外の可視光（本実施形態においては、全ての可視光）を透過するように、形成されている。これにより、図７に示すように、筒状部４の径方向において、側周部４１の外側から開口５２を視認することができる。即ち、筒状部４の側周部４１を経由して、開口５２を視認することができる。
【００３８】
本実施形態においては、アタッチメント２の全体が、透明に形成されている。具体的には、アタッチメント２の全体が、無色透明に形成されている。そして、アタッチメント２の全体が、同じ材質で形成されている。例えば、アタッチメント２は、ポリ塩化ビニル、ポリメチルメタクリレート、ポリカーボネート、ポリエチレンテレフタレート等の樹脂で形成されている。
【００３９】
なお、本実施形態においては、アタッチメント２は、ポリエチレンテレフタレートの樹脂で形成されており、治療具１１から放射された紫外光の一部を、可視光の蛍光に変換するように、構成されている。例えば、アタッチメント２は、波長が２２２ｎｍの紫外光を、３７０〜４１０ｎｍの光（青色の光）に変換する。
【００４０】
また、カバー部５は、筒状部４の軸方向において、筒状部４の先端部４２よりも筒状部４の内方（図７における左側）に配置されている。これにより、開口５２は、筒状部４の軸方向において、筒状部４の先端部４２よりも、筒状部４の内方に配置されている。なお、開口５２は、筒状部４の先端部４２寄りに配置されている。
【００４１】
したがって、筒状部４の先端部４２が患部１００に接した際に、開口５２は、患部１００に対して離間している。これにより、例えば、筒状部４の径方向において、側周部４１の外側から開口５２を容易に視認することができる。また、例えば、筒状部４の先端部４２が患部１００と接した際に、開口５２のエッジ５２ａが患部１００に接することを防止できるため、患部１００に痛みが発生することを抑制することができる。
【００４２】
筒状部４の先端部４２は、環状に形成され、筒状部４の径方向において、側周部４１の内部に配置されている。そして、図８に示すように、筒状部４の先端部４２は、凸状の曲面で形成されている。例えば、筒状部４の先端部４２の内縁４２ａの曲率半径は、１．０ｍｍ以上であることが好ましく、また、１．５ｍｍ以上であることがより好ましい。また、例えば、筒状部４の先端部４２の外縁４２ｂの曲率半径は、１．０ｍｍ以上であることが好ましく、また、１．５ｍｍ以上であることがより好ましい。
【００４３】
また、筒状部４は、先端部４２が患部１００と接する際に、筒状部４の軸方向に変形可能な変形部４３を備えている。本実施形態においては、変形部４３は、筒状部４の先端部４２に備えられている。例えば、変形部４３の厚みは、０．０５ｍｍ〜０．８ｍｍであることが好ましく、また、０．１ｍｍ〜０．５ｍｍであることがより好ましい。
【００４４】
そして、図９に示すように、先端部４２が患部１００と接する際に、患部１００に対して、筒状部４の軸方向に所定量（例えば、４．９Ｎ）以上の力が加えられた場合には、変形部４３は、変形する。例えば、変形部４３は、患部１００の形状に対応して、平面状に弾性変形する。これにより、患部１００に対して働く力を減少させることができるため、患部１００に痛みが発生することを抑制することができる。なお、変形部４３は、塑性変形してもよい。また、変形部４３は、凹状に変形してもよい。
【００４５】
本実施形態においては、アタッチメント２の厚み、即ち、固定部３、筒状部４、及びカバー部５のそれぞれの厚みは、全て一定である。そして、筒状部４の先端部４２が凸状の曲面で形成されているため、筒状部４の先端部４２、具体的には、変形部４３が変形することになる。
【００４６】
以上より、本実施形態に係る治療装置１は、光を外部に向けて放射するための放射部１１ｃを有する治療具１１と、前記治療具１１に固定される前記治療具用アタッチメント２と、を備える。
【００４７】
また、本実施形態に係る治療具用アタッチメント２は、光を外部に向けて放射するための放射部１１ｃを有する治療具１１に固定される固定部３と、前記放射部１１ｃから突出するように配置され、前記放射部１１ｃから放射された光が内部を通過する筒状部４と、前記筒状部４の内部に配置され、前記放射部１１ｃから放射された光が通過する開口５２と、を備え、前記筒状部４の側周部４１は、前記側周部４１の外側から前記開口５２を視認できるように、透明に形成される。
【００４８】
斯かる構成によれば、筒状部４は、治療具１１の放射部１１ｃから突出するように配置され、放射部１１ｃから放射された光は、筒状部４の内部を通過する。そして、開口５２は、筒状部４の内部に配置され、放射部１１ｃから放射された光は、開口５２を通過して、患部１００を照射する。ところで、筒状部４の側周部４１は、透明に形成されている。これにより、筒状部４の側周部４１の外側から開口５２を視認することができる。したがって、患部１００に対して開口５２を適切な位置に配置することができる。
【００４９】
また、本実施形態に係る治療具用アタッチメント２においては、前記開口５２は、前記筒状部４の軸方向において、前記筒状部４の先端部４２よりも前記筒状部４の内方に配置される、という構成である。
【００５０】
斯かる構成によれば、開口５２は、筒状部４の軸方向において、筒状部４の先端部４２よりも筒状部４の内方に配置されているため、患部１００に対して離間することになる。これにより、例えば、筒状部４の側周部４１の外側から開口５２を容易に視認することができる。また、例えば、筒状部４の先端部４２が患部１００と接した際に、開口５２のエッジ５２ａが患部１００に接することを防止できるため、患部１００に痛みが発生することを抑制することができる。
【００５１】
また、本実施形態に係る治療具用アタッチメント２においては、前記筒状部４の先端部４２は、凸状の曲面で形成される、という構成である。
【００５２】
斯かる構成によれば、筒状部４の先端部４２は、凸状の曲面で形成されている。これにより、筒状部４の先端部４２が患部１００と接した際に、患部１００に痛みが発生することを抑制することができる。
【００５３】
また、本実施形態に係る治療具用アタッチメント２においては、前記筒状部４は、前記先端部４２が患部１００と接する際に、前記軸方向に変形可能な変形部４３を備える、という構成である。
【００５４】
斯かる構成によれば、筒状部４が、軸方向に変形可能な変形部４３を備えている。これにより、例えば、筒状部４の先端部４２が患部１００と接することで、患部１００に対して、筒状部４の軸方向に所定量以上の力が加えられた場合には、変形部４３は、変形する。その結果、患部１００に対して働く力を減少させることができるため、患部１００に痛みが発生することを抑制することができる。
【００５５】
また、本実施形態に係る治療具用アタッチメント２においては、前記筒状部４の側周部４１は、前記治療具１１から放射された紫外線の一部を可視光の蛍光に変換する材質で形成される、という構成である。
【００５６】
斯かる構成によれば、筒状部４の側周部４１が、治療具１１から放射された紫外線を可視光の蛍光に変換するため、視認できない光（紫外光）を視認できる光（可視光）に変換することができる。したがって、側周部４１の可視光を視認することで、視認できない紫外光が放射されていることを把握することができる。
【００５７】
なお、治療装置及び治療具用アタッチメントは、上記した実施形態の構成に限定されるものではなく、また、上記した作用効果に限定されるものではない。また、治療装置及び治療具用アタッチメントは、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５８】
上記実施形態に係るアタッチメント２においては、筒状部４の先端部４２は、環状、具体的には、矩形環状に形成されている、という構成である。しかしながら、アタッチメントは、斯かる構成に限られない。例えば、図１０に示すように、筒状部４の先端部４２，４２は、角筒状に形成される側周部４１の四辺のうち、対向する二辺に配置されている、という構成でもよい。
【００５９】
また、上記実施形態に係るアタッチメント２においては、アタッチメント２の厚みは、全て一定である、という構成である。しかしながら、アタッチメントは、斯かる構成に限られない。例えば、図１１に示すように、アタッチメント２のうち、一部の厚みは、他部の厚みよりも、薄い、という構成でもよい。具体的には、アタッチメント２の変形部４３の厚みは、アタッチメント２の他部の厚みよりも、薄い、という構成でもよい。
【００６０】
図１１に係るアタッチメント２においては、前記変形部４３は、前記筒状部４の前記先端部４２に備えられ、前記筒状部４の前記側周部４１よりも薄い厚みとなるように、形成される、という構成である。
【００６１】
斯かる構成によれば、変形部４３は、筒状部４の先端部４２に備えられている。そして、変形部４３の厚みは、筒状部４の側周部４１の厚みよりも、薄くなっている。これにより、例えば、筒状部４の先端部４２が患部１００と接することで、患部１００に対して、筒状部４の軸方向に所定量以上の力が加えられた場合には、変形部４３は、側周部４１よりも脆弱であるため、変形する。
【００６２】
また、アタッチメント２は、筒状部４の先端部４２に、弾性部材（例えば、スポンジ状の部材）を連結している、という構成でもよい。斯かる構成によれば、弾性部材が患部１００と接するため、患部１００に対して、筒状部４の軸方向に所定量以上の力が加えられた場合には、弾性部材が変形する。
【００６３】
また、上記実施形態に係るアタッチメント２においては、変形部４３は、筒状部４の先端部４２に備えられている、という構成である。しかしながら、アタッチメントは、斯かる構成に限られない。例えば、図１２〜図１５に示すように、変形部４３は、筒状部４の側周部４１に備えられている、という構成でもよい。
【００６４】
図１２及び図１３に係るアタッチメント２においては、前記変形部４３は、前記筒状部４の前記側周部４１に備えられ、弾性を有するように、湾曲状に形成される、という構成である。
【００６５】
斯かる構成によれば、図１２に示すように、変形部４３は、筒状部４の側周部４１に備えられている。そして、変形部４３は、湾曲状に形成されているため、弾性を有する。これにより、例えば、図１３に示すように、筒状部４の先端部４２が患部１００と接することで、患部１００に対して、筒状部４の軸方向に所定量以上の力が加えられた場合には、変形部４３は、さらに湾曲するように、弾性変形する。
【００６６】
また、図１４及び図１５に係るアタッチメント２においては、前記変形部４３は、前記筒状部４の前記側周部４１に備えられ、弾性を有するように、蛇腹状に形成される、という構成である。
【００６７】
斯かる構成によれば、図１４に示すように、変形部４３は、筒状部４の側周部４１に備えられている。そして、変形部４３は、蛇腹状に形成されているため、弾性を有する。これにより、例えば、図１５に示すように、筒状部４の先端部４２が患部１００と接することで、患部１００に対して、筒状部４の軸方向に所定量以上の力が加えられた場合には、変形部４３は、筒状部４の軸方向で縮むように、弾性変形する。
【００６８】
また、上記実施形態に係るアタッチメント２においては、筒状部４は、変形部４３を備えている、という構成である。しかしながら、アタッチメントは、斯かる構成に限られない。例えば、アタッチメントにおいては、筒状部４は、変形部４３を備えていない、という構成でもよい。
【００６９】
また、上記実施形態に係るアタッチメント２においては、筒状部４の先端部４２は、開口５２から離れて配置されている、という構成である。しかしながら、アタッチメントは、斯かる構成に限られない。例えば、図１６及び図１７に示すように、アタッチメント２においては、前記筒状部４は、先端部４２に向けて小さくなるように、形成され、前記先端部４２は、前記開口５２の近傍に配置される、という構成でもよい。
【００７０】
斯かる構成によれば、筒状部４が、先端部４２に向けて小さく、形成されており、筒状部４の先端部４２が、開口５２の近傍に配置されている。これにより、例えば、筒状部４の先端部４２の位置から開口５２の位置をある程度予測することができるため、患部１００に対する開口５２の位置合わせを容易に行うことができる。
【００７１】
なお、「近傍」とは、例えば、筒状部４の先端部４２の外縁４２ｂにより囲まれる面積をＳ１、開口５２のエッジ５２ａにより囲まれる面積をＳ２とした場合に、下式を満たすことをいう。
（Ｓ１１／２−Ｓ２１／２）／Ｓ１１／２  ≦  １／２
また、例えば、「近傍」とは、筒状部４の径方向において、筒状部４の先端部４２の外縁４２ｂと開口５２のエッジ５２ａとの距離が、５ｍｍ以下であることをいい、また、好ましくは、３ｍｍ以下であることをいう。
【００７２】
また、上記実施形態に係るアタッチメント２においては、筒状部４の側周部４１は、無色透明に形成されている、という構成である。しかしながら、アタッチメントは、斯かる構成に限られない。例えば、筒状部４の側周部４１は、有色透明に形成されている、という構成でもよい。
【００７３】
また、上記実施形態に係るアタッチメント２においては、アタッチメント２の全体が、透明に形成されている、という構成である。しかしながら、アタッチメントは、斯かる構成に限られない。例えば、アタッチメント２のうち、側周部４１を除く部分（固定部３、筒状部４の先端部４２、カバー部５）は、不透明（可視光を遮蔽するよう）に形成されている、という構成でもよい。
【００７４】
また、上記実施形態に係るアタッチメント２においては、開口５２は、中空状に形成されている、という構成である。しかしながら、アタッチメントは、斯かる構成に限られない。例えば、開口５２は、光源１１ｂから発せられた光が透過可能な投光部材を、内部に嵌め込められていてもよい。
【００７５】
また、上記実施形態に係るアタッチメント２は、固定部３の係合部３２が治療具１１の被固定部１１ｅと係合することで、治療具１１に固定される、という構成である。しかしながら、アタッチメントは、斯かる構成に限られない。例えば、アタッチメント２は、固定部３が治療具１１の被固定部１１ｅに固定部材（例えば、ボルト等）によって固定されることで、治療具１１に固定される、という構成でもよい。
【００７６】
また、上記実施形態に係るアタッチメント２においては、開口５２は、筒状部４の軸方向において、筒状部４の先端部４２よりも筒状部４の内方に配置されている、という構成である。しかしながら、アタッチメントは、斯かる構成に限られない。例えば、開口５２は、筒状部４の軸方向において、筒状部４の先端部４２と同じ位置に配置されている、という構成でもよい。
【００７７】
また、上記実施形態に係るアタッチメント２においては、筒状部４の先端部４２は、凸状の曲面で形成されている、という構成である。しかしながら、アタッチメントは、斯かる構成に限られない。例えば、筒状部４の先端部４２は、平面状に形成されている、という構成でもよい。
【００７８】
また、アタッチメント２においては、筒状部４の先端部４２は、患部１００に接するため、表面に撥水性を有する、という構成でもよい。斯かる構成によれば、患部１００の表面に体液が存在する場合に、体液が筒状部４の先端部４２に付着することを抑制することができる。
【００７９】
また、上記実施形態に係るアタッチメント２は、光源１１ｂから発せられた光を吸収する、という構成である。しかしながら、アタッチメントは、斯かる構成に限られない。例えば、アタッチメント２は、光効率を向上させるために、光源１１ｂから発せられた光を内面で反射する、という構成でもよい。
【００８０】
また、アタッチメント２は、開口５２の大きさを変更するために、カバー部５の遮光部５１を切断工具（ハサミ等）で切断されてもよい。斯かる構成によれば、患部１００の大きさに対して、フレキシブルに対応することができる。
【００８１】
また、図１８〜図２１に示すように、アタッチメント２は、前記固定部３及び前記筒状部４の少なくとも一方から外側に向けて突出する摘み片６，６を備える、という構成でもよい。斯かる構成によれば、アタッチメント２が治療具１１に着脱される際に、摘み片６，６が摘ままれることで、斯かる着脱作業を容易にすることができる。
【００８２】
これにより、例えば、アタッチメント２が治療具１１に装着される際に、局所的な力により、アタッチメント２が変形することを抑制することができる。また、例えば、アタッチメント２が治療具１１から取り外される際に、患部に触れた筒状部４の先端部４２に触れることを抑制することができる。
【００８３】
また、図１８〜図２１に示すように、アタッチメント２は、凹凸状に形成される端縁６ａ，３３ａ，５２ａを備える、という構成でもよい。斯かる構成によれば、例えば、治療具１１を操作する際や、アタッチメント２を治療具１１に着脱際に、手指に切り傷を負うことを抑制することができたり、手袋が破れることを抑制することができたりする。
【００８４】
図１８〜図２１に係るアタッチメント２の構成について、以下に説明する。
【００８５】
図１８〜図２１に係るアタッチメント２は、固定部３から筒状部４の径方向の外側に向けて突出する平板状の摘み片６，６を備えている。そして、摘み片６は、指に係止されるために、滑り止め用の凸部６１，６１を備えている。凸部６１は、筒状部４と反対側に向けて凸状に形成されている。
【００８６】
摘み片６は、固定部３の基端部（筒状部４に連結される端部と反対側の端部）に連結されている。これにより、摘み片６が、筒状部４の先端部４２から離れているため、摘み片６が患部に接触することを抑制することができる。なお、摘み片６は、筒状部４の径方向と平行に配置されているが、先端側が筒状部４の先端部４２（患部）から離れるように、筒状部４の径方向に対して傾斜して配置されていてもよい。また、摘み片６は、筒状部４に連結されていてもよい。
【００８７】
摘み片６，６は、固定部本体３１の四面のうち、径方向で対面する二面に配置されている。具体的には、摘み片６，６は、固定部本体３１の四面のうち、係合部３２が配置されている二面に配置されている。
【００８８】
これにより、アタッチメント２が治療具１１に着脱される際に、摘み片６，６が摘ままれて、例えば、係合部３２，３２同士が離れるように、固定部３が変形される。したがって、アタッチメント２の係合部３２が治療具１１の被固定部１１ｅに引っ掛からないため、斯かる着脱作業を容易にすることができる。なお、摘み片６は、固定部本体３１の四面のうち、一つ又は三つ以上の面に配置されていてもよい。
【００８９】
アタッチメント２の全ての端縁６ａ，３３ａ，５２ａは、凹凸状、具体的には、波形状に形成されている。具体的には、摘み片６の端縁６ａ、固定部本体３１から突出しているフランジ部３３の端縁３３ａ、及びカバー部５の開口５２の端縁（エッジ）５２ａは、凹凸状に形成されている。
【００９０】
アタッチメント２は、固定部本体３１の四面が湾曲して変形することと抑制するために、固定部本体３１の四面を補強するリブ３４を備えている。リブ３４は、摘み片６と固定部本体３１との間、及び、フランジ部３３と固定部本体３１との間に配置され、筒状部４と反対側に向けて凸状に形成されている。
【００９１】
また、図２２及び図２３に示すように、アタッチメント２は、治療具１１を収容する袋体７ａに固定され、治療具用の袋体付きアタッチメント７として用いられてもよい。斯かる構成によれば、袋体７ａが治療具１１を覆って密閉することで、例えば、クリーンルーム内で治療具１１が使用される際に、治療具１１内に存在する粉塵等がクリーンルーム内に侵入することを抑制することができる。
【００９２】
袋体７ａは、外部からでも治療具１１を操作できるように、薄くて透明に形成されている。なお、袋体７ａは、治療具１１を操作する操作者の手も含めて内部に収容してもよい。また、袋体７ａは、アタッチメント２に、接着剤による接着や、熱や超音波による溶着により固定されている。
【００９３】
なお、図２２及び図２３に係る袋体付きアタッチメント７は、図１８〜図２１に係るアタッチメント２を採用した場合について図示しているが、摘み片６は、袋体７ａの内部に配置されている。これにより、例えば、摘み片６が患部に直接に接触することを抑制することができる。なお、用途に応じて（例えば、クリーンルーム内で、アタッチメント２が治療具１１に着脱される等の場合には）、摘み片６は、袋体７ａの外部に配置されていてもよい。
【符号の説明】
【００９４】
１…治療装置、２…治療具用アタッチメント、３…固定部、４…筒状部、５…カバー部、６…摘み片、６ａ…端縁、７…治療具用の袋体付きアタッチメント、７ａ…袋体、１１…治療具、１１ａ…把手部、１１ｂ…光源、１１ｃ…放射部、１１ｄ…窓部、１１ｅ…被固定部、１２…接続線、３１…固定部本体、３２…係合部、３３…フランジ部、３３ａ…端縁、３４…リブ、４１…側周部、４２…先端部、４２ａ…内縁、４２ｂ…外縁、４３…変形部、５１…遮光部、５２…開口、５２ａ…エッジ（端縁）、６１…凸部、１００…患部
【図１】
2017221646.tif 000003
【図２】
2017221646.tif 000004
【図３】
2017221646.tif 000005
【図４】
2017221646.tif 000006
【図５】
2017221646.tif 000007
【図６】
2017221646.tif 000008
【図７】
2017221646.tif 000009
【図８】
2017221646.tif 000010
【図９】
2017221646.tif 000011
【図１０】
2017221646.tif 000012
【図１１】
2017221646.tif 000013
【図１２】
2017221646.tif 000014
【図１３】
2017221646.tif 000015
【図１４】
2017221646.tif 000016
【図１５】
2017221646.tif 000017
【図１６】
2017221646.tif 000018
【図１７】
2017221646.tif 000019
【図１８】
2017221646.tif 000020
【図１９】
2017221646.tif 000021
【図２０】
2017221646.tif 000022
【図２１】
2017221646.tif 000023
【図２２】
2017221646.tif 000024
【図２３】
2017221646.tif 000025
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
光を外部に向けて放射するための放射部を有する治療具に固定される固定部と、
前記放射部から突出するように配置され、前記放射部から放射された光が内部を通過する筒状部と、
前記筒状部の内部に配置され、前記放射部から放射された光が通過する開口と、を備え、
前記開口は、前記治療具が光を放射する際に、前記筒状部の内部と外部とを連通するように、中空状に形成され、
前記筒状部の側周部は、前記側周部の外側から前記開口を視認できるように、透明に形成される、治療具用アタッチメント。
【請求項２】
前記開口は、前記筒状部の軸方向において、前記筒状部の先端部よりも前記筒状部の内方に配置される、請求項１に記載の治療具用アタッチメント。
【請求項３】
前記筒状部の先端部は、凸状の曲面で形成される、請求項１又は２に記載の治療具用アタッチメント。
【請求項４】
前記筒状部は、先端部に向けて小さくなるように、形成され、
前記先端部は、前記開口の近傍に配置される、請求項１〜３の何れか１項に記載の治療具用アタッチメント。
【請求項５】
前記筒状部は、前記先端部が患部と接する際に、前記軸方向に変形可能な変形部を備える、請求項１〜４の何れか１項に記載の治療具用アタッチメント。
【請求項６】
前記変形部は、前記筒状部の前記先端部に備えられ、前記筒状部の前記側周部よりも薄い厚みとなるように、形成される、請求項５に記載の治療具用アタッチメント。
【請求項７】
前記変形部は、前記筒状部の前記側周部に備えられ、弾性を有するように、湾曲状に形成される、請求項５に記載の治療具用アタッチメント。
【請求項８】
前記変形部は、前記筒状部の前記側周部に備えられ、弾性を有するように、蛇腹状に形成される、請求項５に記載の治療具用アタッチメント。
【請求項９】
前記固定部及び前記筒状部の少なくとも一方から外側に向けて突出する摘み片を備える、請求項１〜８の何れか１項に記載の治療具用アタッチメント。
【請求項１０】
凹凸状に形成される端縁を備える、請求項１〜９の何れか１項に記載の治療具用アタッチメント。
【請求項１１】
前記筒状部の側周部は、前記治療具から放射された紫外線の一部を可視光の蛍光に変換する材質で形成される、請求項１〜１０の何れか１項に記載の治療具用アタッチメント。
【請求項１２】
請求項１〜１１の何れか１項に記載の治療具用アタッチメントと、
前記治療具を収容し、前記治療具用アタッチメントに固定される袋体と、を備える、治療具用の袋体付きアタッチメント。
【請求項１３】
光を外部に向けて放射するための放射部を有する治療具と、
前記治療具に固定される請求項１〜１１の何れか１項に記載の治療具用アタッチメント又は請求項１２に記載の治療具用の袋体付きアタッチメントと、を備える、治療装置。